(57)【要約】【課題】  化粧料を精確に塗布するために改良された塗布具は存在するが、頬紅を塗布するときに塗布具と共に用いる補助具は存在しない。本発明は補助具を用いて、顔に頬紅を塗布するときに、塗布する形状や場所を勘や経験に頼らず誰でも容易に決定することができることを課題とする。【解決手段】  頬紅塗布具で頬紅の化粧をするときに、仕上げ前の段階として顔の所定の範囲に頬紅を塗布するために顔に宛がう板部を有し、該板部に孔部が設けられ、この孔部を介して頬紅が顔に塗布される。【選択図】  図１
2006239072.tif 000002
【特許請求の範囲】
【請求項１】
頬紅塗布具で頬紅の化粧をするときに、仕上げ前の段階として顔の所定の範囲に頬紅を塗布するために顔に宛がう板部を有し、該板部に孔部が設けられ、この孔部を介して頬紅が顔に塗布されることを特徴とする化粧用補助具。
【請求項２】
孔部は、複数の孔の集合である請求項１記載の化粧用補助具。
【請求項３】
孔部は多数の孔の集合であり、孔の大きさは２種類以上あり、孔部の外周に最も近い孔は最小の孔が採用されている請求項２記載の化粧用補助具。
【請求項４】
鼻や目など顔の所定の一部分を基準位置として化粧用補助具の位置決めをするために、その基準位置に宛がうべき宛がい部が化粧用補助具の周縁の一部に設けられている請求項１乃至請求項３記載の化粧用補助具。
【請求項５】
孔部は可撓性を有するシート状の板部に設けられ、孔部以外の部分であって少なくとも孔部の外周に沿う部分はそのシート状の板部よりも肉厚に形成されている請求項１乃至請求項４記載の化粧用補助具。
【発明の詳細な説明】
【技術分野】
【０００１】
本発明は、主に女性が頬紅を顔に塗布するときに、あらかじめ顔に宛がって塗布する場所や形状などを決定することができる化粧用補助具に関する。
【背景技術】
【０００２】
顔にメイキャップ製品を精確に塗布するために人間工学的かつ解剖学的に設計された化粧用塗布具は存在する（例えば、特許文献１参照。）。
【特許文献１】特表２００２−５０７４４１号公報
【発明の開示】
【発明が解決しようとする課題】
【０００３】
本発明は、顔に頬紅を塗布するときに、頬紅の形状や場所を勘や経験に頼らず誰でも容易に決定できるようにすることを課題とする。
【０００４】
特許文献１は、化粧料を精確に塗布するための塗布具である。これに対して、本発明は頬紅を塗布具で塗布するときに、塗布する形状等を決定するための補助具であって塗布具とは別に存在する。特許文献１のように、化粧料を精確に塗布するために改良された塗布具は存在するが、頬紅を塗布するときに塗布具と共に用いる補助具は存在しない。頬紅は顔がほんのり色づくようにするためのものであって、輪郭がはっきりするように塗布せず、ぼかして塗布する。そして、輪郭をぼかす頬紅の塗布は人間の経験や勘を頼りにおおまかに行われている。したがって、特に初心者や経験の浅い使用者は、塗布した後の頬紅の形状や位置に満足せず失敗してしまうことは少なからず起きる。そうすると、塗布した頬紅を除去して再度頬紅を塗布することとなる。従来のように勘や経験に頼らず、頬紅の形状や位置を決定できれば便利である。
【０００５】
また、人間の顔の形は千差万別であるから、塗布する頬紅の形状や場所によって個人差が顕著に表われる。塗布する頬紅の最適の形状と場所などの条件が判明したときは、塗布の際にその条件を容易に選択できれば使用者にとって便利である。そこで、本発明は、顔に頬紅を塗布するときに、塗布する形状や場所を勘や経験に頼らず誰でも容易に決定することができる化粧用補助具を提供することを目的とする。
【課題を解決するための手段】
【０００６】
本発明の請求項１は、頬紅塗布具で頬紅の化粧をするときに、仕上げ前の段階として顔の所定の範囲に頬紅を塗布するために顔に宛がう板部を有し、該板部に孔部が設けられ、この孔部を介して頬紅が顔に塗布される構成である。
【０００７】
請求項２は、孔部が、複数の孔の集合である要素が請求項１に付加された構成である。
【０００８】
請求項３は、孔部が多数の孔の集合であり、孔の大きさは２種類以上あり、孔部の外周に最も近い孔は最小の孔が採用されている要素が請求項２に付加された構成である。
【０００９】
請求項４は、鼻や目など顔の所定の一部分を基準位置として化粧用補助具の位置決めをするために、その基準位置に宛がうべき宛がい部が化粧用補助具の周縁の一部に設けられている要素が請求項１乃至請求項３に付加された構成である。
【００１０】
請求項５は、孔部が可撓性を有するシート状の板部に設けられ、孔部以外の部分であって少なくとも孔部の外周に沿う部分はそのシート状の板部よりも肉厚に形成されている要素が請求項１乃至請求項４に付加された構成である。
【発明の効果】
【００１１】
請求項１は、頬紅塗布具で頬紅の化粧をするときに、仕上げ前の段階として顔の所定の範囲に頬紅を塗布するために顔に宛がう板部を有し、板部に孔部が設けられ、この孔部を介して頬紅が顔に塗布される構成である。顔に塗布する頬紅の最適の形状は人によって相違する。円に近い形状が似合う人もいれば、楕円形のように横長の形状が似合う人もいる。したがって、形状について数種類のパターンの化粧用補助具を別個の商品として店頭に陳列し、需要者がその中から最適のものを選択して購入すれば、それを使用することによって常に最適の形状に仕上げることができる。店頭に陳列された化粧用補助具を選択するときに、塗布する頬紅の形状をその時点であらかじめ予測できる。これにより、需要者は頬紅が好みの形状になるものを選択できる。別個の商品として販売せず、数種類のパターンの化粧用補助具をセットにして販売したときは、購入者が数種類のパターンを利用できる。各化粧用補助具に結合部を設けて一体的に連結するようにすれば、紛失することを防止できる。さらに、孔部によって頬紅が塗布される範囲が限定されるので、必要以上に広い範囲に塗布することを防止できる。
【００１２】
請求項２は、孔部が、複数の孔の集合である構成である。複数の孔であれば、塗布後に塗布具を顔から離したときに孔と孔との間の塗布されない場所が生じる。通常は、その後で再度塗布具を用いて仕上げをする。塗布された頬紅を塗布されない部分まで延ばすことによって、頬紅は全体的に薄くなって自然な感じの色づけをすることができる。
【００１３】
請求項３は、孔部は多数の孔の集合であり、孔の大きさは２種類以上あり、孔部の外周に最も近い孔は最小の孔が採用されている構成である。孔部の外周に最も近い孔は最小の孔が採用されているので、塗布された頬紅の密度は孔部の外周付近で低い。このために、再度塗布具を用いて仕上げをしたときに、密度の低い外周付近は頬紅が最も薄くなるので皮膚色との境界をぼかすことができる。これにより、頬紅による色づけを自然な感じとすることができる。
【００１４】
請求項４は、鼻や目など顔の所定の一部分を基準位置として化粧用補助具の位置決めをするために、その基準位置に宛がうべき宛がい部が化粧用補助具の周縁の一部に設けられている構成である。頬紅を塗布する際に、頬紅の形状を決めることは重要であるが、頬紅を塗布する場所も重要である。顔の中心に近づき過ぎても、顔の外側に寄りすぎても不自然であり滑稽に見えてしまう。また、上下の位置でも上すぎたり下すぎたりすれば不自然であり滑稽に見えてしまう。請求項４は、顔の所定の一部分を基準とすることで塗布する場所が自動的に決定されるので、塗布場所について失敗することがない。また、小鼻など顔から突出した部分の側方に宛がい部を宛がえば、使用中に化粧用補助具が安定する。
【００１５】
請求項５は、孔部が可撓性を有するシート状の板部に設けられ、孔部以外の部分であって少なくとも孔部の外周に沿う部分はそのシート状の板部よりも肉厚に形成されている。孔部が可撓性を有するシート状の板部に設けられていて、シート状というのは紙のように薄い。したがって、孔部を通して頬紅を確実に塗布することができる。また、孔部の外周に沿う部分はシート状の板部よりも肉厚に形成されている。シート状の板部は薄いので腰がなくしっかり顔に宛がうことができない。外周に肉厚部分を形成したのでシート状の板部は形状が維持できるように補強され、使用時にしっかりと顔に宛がうことができる。
【発明を実施するための最良の形態】
【００１６】
次に本発明を実施するための最良の形態について説明する。補助具１はフレーム２と多数の小孔５,６，７の集合体である孔部３とから成る。孔部３はプラスチックの薄いシート４で形成されている。シート４は透明であり、厚みは約０．１ｍｍである。シート４は不透明でもよい。孔部３を薄いシート４で形成した場合の厚みはこの数値に限定されるものでなく、０．１ｍｍより薄くてもよいし、０．１ｍｍより厚くてもよい。たとえば、０．２〜１．０ｍｍの厚みのシートでもよい。シートの材料は可撓性を有するものが好ましく、例えばオレフィン系フィルムが使用される。シートの材料に抗菌剤を添加してもよい。
【００１７】
図１に示す孔部３の形状は楕円形である。この形状は最も一般的であり販売上ナチュラルタイプと名付けられる。形状は楕円形に限定されるものでなく、頬紅を顔に塗布したときに不自然でない形状であればよい。例えば図４に示すような勾玉形であってもよい。この形状は細長いので販売上シャープタイプと名付けられる。図５に示すような円形であってもよい。この形状はかわいらしいので販売上キュートタイプと名付けられる。小孔５，６，７の大きさは全部同じではなく、数種類の大きさのものが存在する。孔部３の外周に沿って設けられている小孔５は一番小さく形成されている。この小孔５の直径は約１．２ｍｍである。中心付近の小孔７は最も大きく形成されている。この小孔７の直径は約２．０ｍｍである。それらの小さな小孔５と大きな小孔７との間にそれらの中間の大きさの小孔６が設けられている。この小孔６の直径は約１．７ｍｍである。各小孔の形状、大きさ、あるいは配置等についてはこれに限定されるものではない。例えば、孔部３の中心から外側に向かって小孔が徐々に小さくなっていくものであってもよい。
【００１８】
フレーム２は不透明のプラスチックで孔部３よりも肉厚に形成されている。厚みは約２ｍｍであるがこれに限定されるものでない。また、透明であってもよい。フレーム２を設けた理由の一つはシート状に形成された孔部３の補強のためである。また、フレーム２にはその一部を膨出させた把持部８が形成されている。把持部８を持つことによって塗布作業を円滑に行うことができる。把持部８の両面に窪み１６，１６が設けられているので、指先にフィットする。フレーム２は可撓性を有するように形成してもよい。これによって、フレーム２が顔の凹凸に適応するように撓むので使用しやすくなる。
【００１９】
フレーム２の側部に弧状の凹部９が形成されている。図１の本実施形態において、凹部９の底から孔部３までの距離は約１５ｍｍである。図４のものでは約１７ｍｍであり、図５のものでは約１９ｍｍである。これらの距離は孔部３の形状によって異なる。凹部９の底部と孔部３の間の部分に一本の横線１０が設けられている。また、フレーム２の上部には横線１０に垂直な方向に三本の縦線１１，１２，１３が平行に設けられている。これらの横線１０及び縦線１１，１２，１３は補助具１の他方の面（図示せず。）にも設けられている。これらの横線又は縦線は印刷で表示するが、補助具１の表面に直接溝を設けたり突条を設けたりして表示してもよい。また、線に目盛を付してもよい。
【００２０】
図２に示すように、フレーム２は２つのフレーム板１４，１４を重ねて結合した構造である。各フレーム板１４，１４には窓部１５，１５が設けられている。孔部３はこの窓部１５，１５に存在する。孔部３を有するシート４はフレーム板１４，１４に挟着されている。シート４を挟着したフレーム板１４，１４を結合する構造としては、シート４とフレーム板１４の接触面及び重ねた２つのフレーム板１４，１４の接触面を接着剤で接着する。あるいは、シート４の孔部３よりも外側部分にいくつかの小さな孔を設け、一方のフレーム板１４のシート４との接触面にその小さな孔に挿通可能ないくつかの突起を設け、他方のシート４の同じ場所にその突起が嵌合する穴を設ける。これらのいくつかの小さな孔と突起は把持部８の周囲に設けてもよい。そして、２つのフレーム板１４，１４を接着する際に、シート４の小さな孔に一方のフレームの突起を挿通し、その突起を他方のシート４の穴に嵌合する。これにより、突起がシート４を確実に固定してシート４がフレーム２から外れることがない。接着に代えて溶着でもよい。
【００２１】
次に、本発明の使用方法を説明する。この使用方法は一例に過ぎず、使用者がどのように使用してもよいことは勿論である。まず、図３に示すように補助具１の凹部９を小鼻１７の左側に宛がう。小鼻１７は、化粧用補助具の位置決めをする顔の所定の一部分であり、これが基準位置である。この場合、横線１０が水平になるように補助具１を顔に宛がう。この作業によって、補助具１を宛がう場所が決定する。また、頬紅の塗布される場所と形状も決定する。他の方法としては、横線１０は水平でなくてもよい。また、凹部９は小鼻１７に宛がわなくてもよく、距離を置いてもよい。基準位置を小鼻１７の左側あるいは右側とせず、ホクロなどでもよい。
【００２２】
この後で塗布具であるブラシに頬紅を付けて塗布するのであるが、最初にブラシを孔部３のどの場所に宛がって塗布を開始するかについて、横線１０と縦線１１，１２，１３を利用してその起点を知ることができる。例えば、眼球の黒目１８の端部を通る縦指示線１９と横線１０の延長線との交点が起点２０である。黒目の端部を通る縦指示線１９は使用者によって位置が異なる。そこで、黒目の端部が三本の縦線１１，１２，１３を基準線としてどの位置にあるかを目測する。その位置を確認した後に、その位置から真下に線を延ばして横線１０と交差する点を起点として決定する。すなわち、縦線１１，１２，１３がないときは、黒目の端部から横線１０の高さまでの長い縦線を目測しなければならず正確性に欠ける。そこで、縦線１１，１２，１３を設けて起点２０を決定する目安とするのである。縦線１１，１２，１３は縦指示線１９の目安であるから、図３に示すように縦指示線１９が必ずしも縦線１１，１２，１３のいずれかと一致するものでない。むしろ、それらの縦線から外れる場合が多い。縦指示線１９が縦線１１，１２，１３から外れても、縦指示線１９の目安とすることができることは言うまでもない。
【００２３】
起点２０が決定したら、起点２０から頬紅を付けたブラシを入れ、ブラシを孔部３の長手方向に沿って顔の側方へ運ぶ。その際、ブラシを進行方向に寝かせて運ぶと良い。図５のように孔部３が円形のときはやや斜め上方向に運ぶ。この作業によって頬紅のベース形状がつくられる。次いで、補助具１を顔から取り除く。この塗布によってベース形状を構成する頬紅が顔に点在する。その後、点在する頬紅をブラシで何度かぼかして濃さを調整して仕上げる。
【００２４】
前述したように、横線１０及び縦線１１，１２，１３は補助具１の背面にも設けられている。したがって、図３に示すように顔の左側に頬紅を塗布した後で、補助具１を裏返して顔の右側に宛がうことによって顔の両側に使用できる。また、顔の左右で同じ補助具を使用するから、塗布した頬紅は対称となりバランスのよい化粧ができる。
【００２５】
本発明は、上述した形態に限定されるものではない。補助具１はフレーム２とシート４とに分けずに、一枚の薄板で形成してもよい。その場合、薄板の厚みは３ｍｍ以下であることが好ましい。２ｍｍでもよく１ｍｍでもよい。それ以下でもよい。フレーム２の材料はプラスチックに限定されるものでなく、金属や紙などでもよい。孔部３は複数の孔の集合でなくてもよく、孔部３は単一の孔から成るものであってもよい。使用後に孔部３に付着している頬紅を迅速に除去するために、孔部３の表面に撥水性及び撥油性に優れた被膜を形成してもよい。
【図面の簡単な説明】
【００２６】
【図１】本発明の正面図
【図２】図１におけるＡ−Ａ線拡大断面図
【図３】使用状態を示す正面図
【図４】形状を異にする実施形態の正面図
【図５】形状を異にする実施形態の正面図
【符号の説明】
【００２７】
１  補助具
２  フレーム
３  孔部
４  シート
５  小孔
６  小孔
７  小孔
８  把持部
９  凹部
１０  横線
１１  縦線
１２  縦線
１３  縦線
１４  フレーム板
１５  窓部
１６  窪み
１７  小鼻
１８  黒目
１９  縦指示線
２０  起点
【図１】
2006239072.tif 000003
【図２】
2006239072.tif 000004
【図３】
2006239072.tif 000005
【図４】
2006239072.tif 000006
【図５】
2006239072.tif 000007